(57)【要約】【課題】外壁材と下屋との間の雨仕舞い処理を容易にする。【解決手段】建物１０の外壁材１６には、スリット２４を貫通して止水板２０が設けられており、水切り板２０の上側水切り部３０が外壁材１６の屋外側の面に沿って垂下されている。また、外壁材１６と下屋１８との間には、水切り板２２が配置されており、水切り板２２は、重なり部４６が外壁材１６と上側水切り部３０との間に挿入されて、上側水切り部３０の外壁材１６側に係止されている。このため、外壁材１６と水切り板２２の重なり部４６との間が止水板２０の上側水切り部３０によって覆われて止水されている。これにより、外壁材１６と下屋１８との接続部分における雨仕舞い処理を容易にできる。【選択図】図１
2018154990.tif 000002
【特許請求の範囲】
【請求項１】
外壁材から張り出されると共に、上部の屋根葺材が前記外壁材に近接された下屋と、
前記外壁材と前記屋根葺材とが近接された境界部分に沿って設けられ、前記外壁材に沿って立ち上げられた第１縦板部、及び前記第１縦板部の下端から前記屋根葺材の上面に沿って設けられた水切り部を有する水切り部材と、
前記第１縦板部の建物上方側において前記外壁材を貫通して設けられて、前記外壁材の屋内側に取り付けられると共に、前記外壁材の貫通部分から垂下された屋外側止水部を備え、前記屋外側止水部が前記第１縦板部の前記外壁材とは反対側を覆う止水部材と、
を含んで構成された下屋の止水構造。
【請求項２】
前記止水部材は、前記外壁材の貫通部分から前記外壁材の屋内面に沿って立ち上げられた屋内側止水部を含む請求項１記載の下屋の止水構造。
【請求項３】
前記外壁材側から前記屋根葺材の下側に沿って延伸された捨水切り部、及び前記捨水切り部の前記外壁材側から該外壁材に沿って立ち上げられた第２縦板部を備えた捨水切り部材が、前記第１縦板部と前記第２縦板部とが連続するように前記水切り部材に一体にされた請求項１又は請求項２記載の下屋の止水構造。
【請求項４】
前記屋外側止水部の下端側が前記外壁材側かつ上方側に折り返されて形成された折返し部に、前記第１縦板部の上端側が前記外壁材とは反対側かつ下方側に折り返されて形成された係合部が係止されることで、前記止水部材に前記水切り部材が取り付けられた請求項１から請求項３の何れか１項記載の下屋の止水構造。
【請求項５】
前記外壁材が外壁フレームに取り付けられて構成された外壁パネルのうちで前記境界部分に位置する外壁パネルには、前記外壁材に前記下屋との境界部分に沿うスリットが形成されて、該スリット内に前記止水部材の前記貫通部分が配置されて前記止水部材が取り付けられている請求項１から請求項４の何れか１項記載の下屋の止水構造。
【請求項６】
下屋が張り出された外壁材を含んで構成される建物において、
前記下屋の屋根葺材が前記外壁材に近接された境界部分に、請求項１から請求項５の何れか１項記載の下屋の止水構造を備えている建物。
【発明の詳細な説明】
【技術分野】
【０００１】
本発明は、下屋の止水構造及びそれを備えた建物に関する。
【背景技術】
【０００２】
特許文献１には、外壁と外壁から張出した張出部との接続部分における外壁の水切り構造が開示されている。特許文献１の外壁の水切り構造においては、外壁に第一の掘削部、及び第一の掘削部の下方に第二の掘削部が形成されており、第一の掘削部に第一の受材が収納されて、第二の掘削部に第二の受材が収納されている。
【０００３】
第一の受材の外側面には、外側水切り材の上部が取り付けられており、外側水切り材の下部が外壁に沿って、第二の受部材の下方まで立ち下げられている。第二の受材の外側面には、第二の受材と外側水切り材の下部との間に配置された内側水切り材の上部が取り付けられており、外側水切り材の下部が下屋の屋根に沿って配置されている。また、外側水切り部材の上部には、第一の受材の上方に立ち上がった立ち上り部が形成されており、内側水切り部材の上部には、第二の受材の上方に立ち上がった立ち上り部が形成されている。
【０００４】
また、特許文献１の外壁の水切り構造では、外側水切り部材の立ち上り部と第一の掘削部内部との間、及び内側水切り部材の立ち上り部と第二の掘削部内部との間の各々などにシーリング材が充填される。これにより、外壁と外側水切り材との間、及び外壁と内側水切り材との間の防水が図られて、外壁と下屋の屋根との接続部分の雨仕舞い処理がされている。
【先行技術文献】
【特許文献】
【０００５】
【特許文献１】特開平０７−１７３９１１号公報
【発明の概要】
【発明が解決しようとする課題】
【０００６】
ところで、シーリング処理においては、シーリング材の充填ムラがあると止水性や水切り性の低下が生じやすく、施工場所においてシーリング材を充填する作業は、水切り施工のための作業工数の増加を招く。また、外壁に釘打ちして受材や水切り材を固定するようにした場合、釘の頭などにシーリング処理が行われる。
【０００７】
さらに、シーリング処理に用いるシーリング材に経時劣化などが生じた場合、止水性や水切り性が低下して、雨漏り等の原因となってしまう。このために、シーリング処理部分には、シーリングの打ち替えなどのメンテナンスが必要となる。
【０００８】
本発明は、上記事実を鑑みて成されたものであり、施工場所における雨仕舞い処理の作業を容易にできる下屋の止水構造及びそれを備えた建物を提供することを目的とする。
【課題を解決するための手段】
【０００９】
上記目的を達成するための第１の態様は、外壁材から張り出されると共に、上部の屋根葺材が前記外壁材に近接された下屋と、前記外壁材と前記屋根葺材とが近接された境界部分に沿って設けられ、前記外壁材に沿って立ち上げられた第１縦板部、及び前記第１縦板部の下端から前記屋根葺材の上面に沿って設けられた水切り部を有する水切り部材と、前記第１縦板部の建物上方側において前記外壁材を貫通して設けられて、前記外壁材の屋内側に取り付けられると共に、前記外壁材の貫通部分から垂下された屋外側止水部を備え、前記屋外側止水部が前記第１縦板部の前記外壁材とは反対側を覆う止水部材と、を含んで構成されている。
【００１０】
第１の態様では、外壁材から張り出された下屋の屋根葺材が外壁材に近接して設けられており、外壁材と屋根葺材との境界部分は、下屋の棟方向及び下屋の流れ方向（下屋が勾配屋根の場合）に連続されている。この外壁材と屋根葺材との境界部分には、屋根葺材上に水切り部材が設けられており、水切り部材が境界部分に沿って配置されている。水切り部材は、第１縦板部が境界部分から外壁材に沿って上方に立ち上げられ、第１縦板部の下端から屋根葺材の上面に沿って水切り部が突出されている。
【００１１】
ここで、外壁材には、止水部材が設けられており、止水部材は、外壁材の屋内側に取り付けられていると共に、水切り部材の第１縦板部の建物上方側において外壁材を貫通している。止水部材の屋外側には、屋外側止水部が設けられており、屋外側止水部が、外壁材の貫通部分から第１縦板部の外壁材とは反対側において、外壁材に沿って垂下されている。
【００１２】
このため、外壁材と水切り部材の第１縦板部との間が、止水部材の屋外側止水部によって覆われて止水されている。これにより、外壁材と水切り部材の第１縦板部との間の止水のためのシーリング処理が不要になるので、外壁材と下屋との間の雨仕舞い処理を容易にできる。
【００１３】
第２の態様は、第１の態様において、前記止水部材は、前記外壁材の貫通部分から前記外壁材の屋内面に沿って立ち上げられた屋内側止水部を含む。
【００１４】
第２の態様では、外壁材の屋内側において止水部材に屋内側止水部が設けられており、屋内側止水部が外壁材への貫通部分から外壁材の屋内側の面に沿って立ち上げられている。このため、止水部材の貫通部分において貫通部分の上側を伝って浸入する雨水が屋内側止水部によって止水される。これにより、外壁材の貫通部分の止水のためのコーキング処理が不要になるので、外壁材と下屋との間の雨仕舞い処理を一層容易にできる。
【００１５】
第３の態様は、第１の態様又は第２の態様において、前記外壁材側から前記屋根葺材の下側に沿って延伸された捨水切り部、及び前記捨水切り部の前記外壁材側から該外壁材に沿って立ち上げられた第２縦板部を備えた捨水切り部材が、前記第１縦板部と前記第２縦板部とが連続するように前記水切り部材に一体にされている。
【００１６】
第３の態様では、水切り部材と一体に捨水切り部材が設けられており、捨水切り部材は、第２縦板部が水切り部材の第１縦板部に連続するように形成されている。また、捨水切り部材は、第２縦板部の下端から屋根葺材の下方に捨水切り部が延伸されている。このため、水切り部材の水切り部と屋根葺材との間から浸入する雨水に対する雨仕舞いをできると共に、捨水切り部材が水切り部材に一体にされているので、捨水切り部材の取り付けが容易となり、外壁材と下屋との間の雨仕舞い処理を容易にできる。
【００１７】
第４の態様は、第１の態様から第３の態様の何れかにおいて、前記屋外側止水部の下端側が前記外壁材側かつ上方側に折り返されて形成された折返し部に、前記第１縦板部の上端側が前記外壁材とは反対側かつ下方側に折り返されて形成された係合部が嵌め込まれて、前記止水部材に前記水切り部材が係止されている。
【００１８】
第４の態様では、止水部材の屋外側止水部に折返し部が設けられていると共に、水切り部材の第１縦板部に係合部が設けられており、折返し部に係合部が係止されることで、水切り部材が止水部材に取り付けられる。このため、境界部分への水切り部材の取り付けが容易になって、外壁材と下屋との間の雨仕舞い処理を容易にできる。
【００１９】
第５の態様は、第１の態様から第４の態様の何れかにおいて、前記外壁材が外壁フレームに取り付けられた外壁パネルのうちで前記境界部分に位置する外壁パネルには、前記外壁材に前記下屋との境界部分に沿うスリットが形成されて、該スリット内に前記止水部材の前記貫通部分が配置されて前記止水部材が取り付けられている。
【００２０】
第５の態様では、外壁フレームに外壁材が取り付けられて外壁フレームが構成されている。この外壁パネルのうちで外壁材が下屋の屋根葺材との境界部分に位置する外壁パネルには、外壁材に止水部材の貫通部分が配置されるスリットが形成されており、このスリットに止水部材の貫通部分が配置されて、止水部材が外壁材に取り付けられている。このため、止水部材を外壁材に取り付けられているので、雨仕舞い処理において止水部材の取り付け不要となり、外壁材と下屋との間の雨仕舞い処理を容易にできる。
【００２１】
第６の態様は、下屋が張り出された外壁材を含んで構成される建物において、前記下屋の屋根葺材が前記外壁材に近接された境界部分に、第１の態様から第５の態様の何れかの下屋の止水構造を備えている。
【００２２】
第６の態様では、建物において外壁材と下屋との間の雨仕舞い処理を容易にできると共に、コーキング処理が行われるのを抑制できるので、コーキング材の打ち替えなどのメンテナンスを抑制できる。
【発明の効果】
【００２３】
第１の態様によれば、外壁と下屋との間の雨仕舞い処理を容易にできる、という効果を有する。
第２の態様によれば、外壁と下屋との間の雨仕舞い処理をより容易にできる、という効果を有する。
第３の態様によれば、外壁と下屋との間の雨仕舞い処理をより一層容易にできる、という効果を有する。
【００２４】
第４の態様によれば、水切り部材の取り付けを容易にできる、という効果を有する。
第５の態様によれば、施工場所において止水材の取り付けが不要になるので、外壁と下屋との間の雨仕舞い処理を容易にできる、という効果を有する。
第６の態様によれば、コーキング処理を行う部位が削減されているので、コーキング材の打ち替え処理を抑制できる、という効果を有する。
【図面の簡単な説明】
【００２５】
【図１】本実施の形態に係る水切り構造を示す建物の主要部の断面図である。
【図２】本実施の形態に係る建物の概略構成を示す斜視図である。
【図３】（Ａ）及び（Ｂ）は、下屋に接する外壁パネルの主要部を示す斜視図である。
【図４】（Ａ）は、止水板を示す概略斜視図、（Ｂ）は、水切り板を示す概略斜視図である。
【図５】（Ａ）は水切り板の他の一例を示す斜視図、（Ｂ）は（Ａ）の水切り板を設けた建物の主要部を示す断面図である。
【発明を実施するための形態】
【００２６】
以下に、図面を参照しながら本発明の実施の形態を詳細に説明する。
図２には、本実施の形態に係る建物１０の概略が斜め上方から見た斜視図にて示されている。建物１０は、ユニット式の建物（ユニット住宅）とされており、２階建てにされている。建物１０に用いられるユニット（建物ユニット、図示省略）は、４本のフレーム側柱の上部に、一対の桁天井大梁及び一対の妻天井大梁の端部が剛接合されると共に、４本のフレーム支柱の下部に一対の桁床大梁及び一対の妻床大梁の端部が剛接合されて直方体枠状とされている。また、ユニットでは、一対の桁天井大梁の間に配置された複数の天井小梁の各々が桁天井大梁に接合されて天井フレームが形成されると共に、一対の桁床大梁の間に配置された複数の床小梁が桁床大梁に接合されて床フレームが形成されている。
【００２７】
建物１０は、直方体枠状の複数のユニットが縦横及び上下に配列されて、互いに隣接するユニット同士（フレーム側柱同士）が連結されることで躯体（例えば、鉄骨ラーメン構造の躯体）が構成されている。また、建物１０の上階（２階）の上部には、寄棟屋根とされた屋根１２が設けられている。
【００２８】
建物１０の周囲は、外壁パネル１４によって囲われており、外壁パネル１４が建物１０の屋内と屋外とを区画している。なお、建物１０には、外壁パネル１４に窓、出入り口とされるドアや引き戸などが設けられているが、図２では、これらの図示が省略されている。
【００２９】
外壁パネル１４は、溝形鋼などの鋼材を用いた一対の縦枠及び複数本の横枠が用いられて矩形枠状に形成された外壁フレーム（図示省略）に矩形板状の外壁材１６が取付けられて構成されている。外壁パネル１４は、外壁材１６の高さ方向寸法が階高に合わせられており、外壁パネル１４は、建物１０を構成するユニットのうちで屋外に面するユニットの屋外側面に取付けられている。この際、外壁パネル１４は、ユニットの桁天井大梁と桁床大梁との間（又は妻天井大梁と床天井大梁の間）に外壁フレームが締結固定される。これにより、ユニットには、外壁材１６が屋外側にされている。建物１０に用いるユニットは、製造工場において外壁パネル１４が取り付けられて、建物１０の施工場所に搬送される。なお、外壁材１６は、外壁の仕上がり又は仕上がりの下地（例えば外壁が塗装される場合の下地）を形成する公知の材料を適用できる。
【００３０】
本実施の形態に係る建物１０には、下屋１８が設けられており、下屋１８は、建物１０の外壁パネル１４の外壁材１６から張り出された差し掛け屋根にされている。本実施の形態では、一例として下屋１８は、外壁パネル１４のうちで２階部分(又は１階部分でも良い)の外壁パネル１４Ａから張り出された勾配屋根にされており、下屋１８の妻側が２階部分の外壁パネル１４Ｂ及び１階部分の外壁パネル１４Ｃに跨って接している。なお、建物１０は、下屋１８の下側（１階部分）に居室などの居住空間が設けられていても良い。
【００３１】
建物１０では、下屋１８が接する外壁パネル１４（外壁パネル１４Ａ、１４Ｂ、１４Ｃ、以下、特に区別しない場合は、外壁パネル１４という）との間に、本実施の形態に係る止水構造が適用されている。下屋１８に接する外壁パネル１４には、止水部材としての止水板２０が設けられており、下屋１８には、外壁パネル１４側に水切り部材としての水切り板２２が設けられている。図１には、外壁パネル１４と下屋１８との接続部分の概略構成が側方視の断面図にて示されている。また、図３（Ａ）及び図３（Ｂ）には、外壁パネル１４の主要部が示されており、図４（Ａ）には、止水板２０が斜視図にて示されて、図４（Ｂ）には、水切り板２２が斜視図にて示されている。なお、図３（Ａ）は、外壁パネル１４Ａの概略を示し、図３（Ｂ）は、外壁パネル１４Ｂ、１４Ｃの概略を示している。
【００３２】
図３（Ａ）に示す如く、外壁パネル１４には、スリット２４が形成されており、スリット２４は、所定幅の溝状にされて外壁材１６に貫通形成されている。スリット２４の上下方向の位置は、下屋１８が接する位置よりも僅かに上方になる位置にされている（図２参照）。また、スリット２４の両端の位置は、外壁パネル１４に対する下屋１８の水平方向両端に対応する位置にされている。
【００３３】
本実施の形態において下屋１８は、外壁パネル１４Ａの幅方向（水平方向）の全域に渡って接しており、外壁パネル１４Ａのスリット２４は、外壁材１６を上下に分割するように形成されている。また、下屋１８は、外壁パネル１４Ｂ、１４Ｃの各々に対して傾斜されて接しており、外壁パネル１４Ｂ、１４Ｃには、スリット２４（２４Ａ）が傾斜されて貫通形成されている（図３（Ｂ）参照）。スリット２４Ａの上下方向の位置は、下屋１８が外壁パネル１４Ｂ、１４Ｃに接する位置よりも僅かに上方になる位置にされている。なお、外壁パネル１４Ｂのスリット２４Ａは、外壁材１６を斜めに分割するように形成され、外壁パネル１４Ｃのスリット２４Ａは、外壁パネル１４Ｂ側が外壁パネル１４Ｂのスリット２４Ａと連続するように形成されると共に、下端（外壁パネル１４Ｂとは反対側の端部）が下屋１８の下端に対応する位置で止められている。
【００３４】
図３（Ａ）及び図３（Ｂ）に示す如く、止水板２０は、外壁パネル１４の外壁材１６に配置されている。図４（Ａ）に示す如く、止水板２０は、帯板状の板金用鋼板材が曲げ加工されて形成されており、止水板２０には、塩ビ鋼板、フッ素鋼板等の止水又は水切りに用いされる各種の板金用鋼板材が適用される。
【００３５】
止水板２０は、長手方向の長さがスリット２４の延伸方向（以下、溝方向という）の長さと同様にされている。なお、外壁パネル１４Ａの外壁材１６に配置される止水板２０は、長手方向の長さが外壁材１６に形成されたスリット２４の溝方向長さと同様にされている。また、外壁パネル１４Ｂ、１４Ｃに配置される止水板２０は、長手方向の長さが外壁パネル１４Ｂのスリット２４Ａと外壁パネル１４Ｃのスリット２４Ａの長さを合わせた長さと同様にされている。
【００３６】
止水板２０には、幅方向の中間部に貫通部分としての平坦部２６が設けられ、平坦部２６の幅方向の一端側に屋内側止水部としての縦板部２８が形成されると共に、平坦部２６の幅方向の他端側に屋内側止水部としての上側水切り部３０が形成されている。止水板２０は、平坦部２６を挟んで設けられる縦板部２８と上側水切り部３０とが、互いに反対方向に向けて折り曲げられており、縦板部２８が平坦部２６の縁から上側へ向けて折り曲げられて形成され、上側水きり部３２は、立ち上り部３０とは反対側の平坦部２６の縁から、立ち上り部３０とは反対側（下側）へ向けて折り曲げられて形成されている。また、止水板２０は、縦板部２８及び上側水切り部３０の各々が長手方向（平坦部２６の長手方向）に延伸されている。
【００３７】
止水板２０には、上側水切り部３０の先端側に折返し部３２が設けられている。折返し部３２は、上側水切り部３０の先端側（下端側）を平坦部２６側に略Ｕ字状に折り曲げられて形成されている。
【００３８】
図３（Ａ）及び図３（Ｂ）に示す如く、止水板２０は、平坦部２６の長手方向がスリット２４の溝方向にされ、かつ、縦板部２８が外壁材１６の屋内側にされて、平坦部２６がスリット２４（２４Ａ）内に挿入配置されて外壁パネル１４に取り付けられる。これにより、止水板２０は、縦板部２８が外壁材１６の屋内側の面に沿って上方に延伸されると共に、平坦部２６が外壁材１６を貫通した状態にされて、上側水切り部３０が外壁材１６の屋外側の面に沿って下方に垂下される。
【００３９】
なお、図３（Ｂ）に示す如く、外壁パネル１４Ｂ、１４Ｃには、止水板２０が傾斜されて取り付けられる。また、外壁パネル１４Ｂ、１４Ｃが異なるユニットに取り付けられる場合、外壁パネル１４Ｂ、１４Ｃの各々の外壁材１６に止水板２０が分割されて取り付けられる。
【００４０】
図１に示す如く、止水板２０は、止水材料としての止水材３４が縦板部２８と外壁材１６との間に配置された状態で外壁材１６に固定される。止水材３４としては、例えば、細幅帯状かつスポンジ状にされた止水材料が用いられるが、これに限らず、各種の止水材料を適用できる。
【００４１】
外壁材１６は、止水板２０が取り付けられた状態で外壁フレームに取り付けられる。これにより、止水板２０の縦板部２８が外壁フレーム（外壁フレームを形成する鋼材）に交差するなどして重なることで、縦板部２８が外壁材１６と外壁フレームとの間に挟まれて固定される。なお、止水板２０の縦板部２８を抑える鋼材を別に設けて、当該鋼材を外壁フレームに固定するようにしても良い。
【００４２】
外壁パネル１４（１４Ａ〜１４Ｃ）に止水板２０が取り付けられることで、外壁パネル１４が取り付けられるユニットは、止水板２０が取り付けられた状態で施工場所に搬送される。このため、ユニットが組まれることで建物１０は、下屋１８の屋根が葺かれる前に外壁パネル１４に止水板２０が取り付けられた状態にされる。
【００４３】
一方、下屋１８には、屋根下地とされる下屋屋根パネル３６が取付けられており、下屋屋根パネル３６の上面がルーフィング（下葺材）３８によって覆われている。ルーフィング３８は、外壁パネル１４側において外壁材１６に沿って立上げられて外壁材１６に貼り付けられる（止められる）と共に、下屋屋根パネル３６上の全面に敷かれている。
【００４４】
下屋１８は、ルーフィング３８上又はルーフィング３８上に組まれた下地上に屋根葺材（屋根材）４０が葺かれており、屋根葺材４０は、外壁パネル１４側において外壁材１６に接する（近接する）ように葺かれる。このため、下屋１８の外壁パネル１４側の屋根葺材４０の上方には、止水板２０が取り付けられて、止水板２０の上側水切り部３０が外壁材１６のスリット２４部分から垂下されている。なお、屋根葺材４０には、粘土瓦や金属板、セメント系やスレート系などでの任意の屋根材を適用できる。
【００４５】
図１及び図２に示す如く、下屋１８上には、水切り部材及び捨水切り部材としての水切り板２２が設けられており、水切り板２２は、下屋１８の外壁パネル１４側に、外壁パネル１４（外壁パネル１４と下屋１８との境界部分）に沿って配置されている。水切り板２２は、止水板２０と同様の材質で帯状にされた板金用鋼板材が用いられて、帯状の板金用鋼板材が曲げ加工されて形成されており、水切り板２２は、長手方向が外壁パネル１４のスリット２４の溝方向に沿って配置される。
【００４６】
図４（Ｂ）に示す如く、水切り板２２には、幅方向の一側に水切り部としての下側水切り部４２が形成されると共に、幅方向の他側に捨水切り部４４が形成されている。また、水切り板２２には、第２縦板部を構成すると共に第１縦板部としての重なり部４６が設けられており、重なり部４６は、水切り板２２の幅方向の中間部（下側水切り部４２と捨水切り部４４との間）に形成されている。即ち、水切り板２２は、板金用鋼板材が幅方向の中間部で折り重ねられて重なり部４６が形成されており、重なり部４６の一側に下側水切り部４２が形成されて、重なり部４６の他側に捨水切り部４４が形成されている。
【００４７】
水切り板２２は、重なり部４６の先端側（下側水切り部４２及び捨水切り部４４とは反対側）が下側水切り部４２側へ略Ｕ字状に折り曲げられて係合部４８が形成されている。下側水切り部４２は、重なり部４６の下端から係合部４８側に折曲されて形成されており、下側水切り部４２の先端側は、捨水切り部４４側に向けて鋭角に折曲されて折返し部５０にされている。
【００４８】
捨水切り部４４は、下側水切り部４２よりも下側（重なり部４６とは反対側）において下側水切り部４２と同じ方向に折曲されて形成されている。これにより、重なり部４６と捨水切り部４４との間には、第２縦板部を構成する縦板部５２が形成されている。また、捨水切り部４４の先端側には、水返し部５４が設けられており、水返し部５４は、捨水切り部４４の先端側が下側水切り部４２側（上側）に向けて折り曲げられて形成されている。
【００４９】
図１に示す如く、水切り板２２は、重なり部４４が外壁パネル１４と止水板２０の上側水切り部３０との間に挿入されて、重なり部４６の先端部分の係合部４８が上側水切り部３０と折返し部３２との間に嵌め込まれて係止されている。このため、水切り板２２は、重なり部４６の長手方向の全域が外壁パネル１４の外壁材１６と止水板２０の折返し部３２との間に挟まれて、止水板２０に取り付けられる。
【００５０】
また、水切り板２２の下側水切り部４２は、止水板２０の上側水切り部３０の下端から突出されて、下屋１８の屋根葺材４０の上面に沿って配置される。このため、外壁材１６と下屋１８の屋根葺材４０との境界部分が、止水板２０の上側水切り部３０と水切り板２２の下側水切り部４２とに覆われる。また、下側水切り部４２の先端側の折返し部５０は、先端が屋根葺材４０の上面に向けられており、折返し部５０の先端と屋根葺材４０との間には、止水材料としての長尺ブロック状かつスポンジ状の止水材５６が挟み込まれている。止水材５６は、下側水切り部４２の長手方向に延在されており、止水材５６が屋根葺材４０と下側水切り部４２との間を閉鎖して止水（雨仕舞い）している。
【００５１】
さらに、水切り板２２は、縦板部５２が外壁材１６と屋根葺材４０との間を、外壁材１６に沿って垂下されると共に、捨水切り部４４が外壁材１６側から下屋屋根パネル３６に沿って突出されている。これにより、ルーフィング３８は、外壁パネル１４（外壁材１６）側において、捨て水切り部４４及び縦板部５２により押さえられている。
【００５２】
なお、外壁パネル１４Ｂ、１４Ｃには、外壁パネル１４Ａと同様にされて、水切り板２２が跨って取付けられる。また、外壁パネル１４Ａ側の水切り板２２と外壁パネル１４Ｂ側の水切り板２２との間には、渡り用の水切り板（図示省略）が設けられる。渡り用の水切り板は、例えば、基本的形状が水切り板２２から捨水切り部４４、縦板部５２を除いた形状にされて、外壁パネル１４Ａと外壁パネル１４Ｂとの間の角度に合わせて下側水切り部４４を切欠くと共に、重なり部４６を折り曲げた形状とすればよい。渡り用の水切り板は、外壁パネル１４Ａ側の水切り板２２と外壁パネル１４Ｂ側の水切り板２２とに重ねられて接着等により接合されて取り付けられる。
【００５３】
このように構成されている建物１０では、外壁パネル１４を製造する際、下屋１８に接する外壁パネル１４Ａ〜１４Ｃに止水板２０が取り付けられる。また、ユニットは、これらの外壁パネル１４が取り付けられて製造されて、施工場所に搬送される。この際、外壁パネル１４の止水板２０は、ダンボールなどの梱包材により覆われることが好ましく、これにより、ユニットの搬送時及び保管時において、止水板２０を傷などの損傷、及び湿気等に対して保護（耐損傷及び防水保護）できる。
【００５４】
建物１０では、ユニットが組み立てられることで、外壁パネル１４に設けている止水板２０が下屋１８の上方位置に配置されて、止水板２０の上側水切り部３０が、スリット２４から外壁材１６の表面（屋外側の面）に沿って垂下される。この止水板２０には、下屋１８の屋根を葺く際に、水切り板２２が取付けられる。
【００５５】
水切り板２２は、下屋１８の下屋屋根パネル３６上にルーフィング３８が敷かれた状態で、重なり部４６が、外壁パネル１４の外壁材１６と止水板２０の上側水切り部３０との間に挿入され、重なり部４６の先端側の係合部４８が、上側水切り部３０と折返し部３２との間に嵌め込まれる。これにより、水切り板２２が止水板２０に係止されて取り付けられる。この際、ルーフィング３８の外壁材１６側上端において外壁材１６と水切り板２２の重なり部４６との間に止水材５８が挟みこまれる。
【００５６】
この後、下屋１８の屋根が葺かれることで、屋根葺材４０が、水切り板２２の下側水切り部４２と捨水切り部４４との間に挿入され、折返し部５０の外壁パネル１４側において下側水切り部４２と屋根葺材４０との間に止水材５６が嵌め込まれる。
【００５７】
これにより、下屋１８が設けられた建物１０において、外壁パネル１４と下屋１８の屋根葺材４０との境界部分では、外壁パネル１４と屋根葺材４０との境界部分を跨ぐように止水板２０の上側水切り部３０及び水切り板２２の下側水切り部４２により覆われる。
【００５８】
ここで、止水板２０は、平坦部２６が外壁材１６を貫通するようにスリット２４内に配置され、この平坦部２６から連続され上側水切り部３０が外壁材１６の屋外側の面に沿って垂下されている。また、止水板２０は、平坦部２６から屋内側に連続された縦板部２８が外壁材１６の屋内側の面に沿って上方に突出されている。このため、外壁パネル１４の外壁材１６の屋外面に付着した雨滴等が、平坦部２６を伝ってスリット２４から屋内に流れても、縦板部２８において堰きとめられる。これにより、外壁パネル１４の外壁材１６と下屋１８の屋根葺材４０との境界部分から外壁材１６の屋内側に雨漏りなどが生じるのを防止できる。しかも、縦板部２８と外壁材１６との間には、止水材３４が詰め込まれているので、外壁パネル１４のスリット２４から風が吹き込んでしまうのを抑制できると共に、スリット２４から吹き込んだ風により雨滴等が縦板部２８に沿って押し上げられても、押し上げられた雨滴等を止水材３４により堰き止めることができて、雨滴等が外壁パネル１４の屋内側に回り込んでしまうのを防止できる。
【００５９】
また、止水板２０の上側水切り部３０の下側には、水切り板２２の下側水切り部４２が設けられており、上側水切り部３０に付着した雨滴が下側水切り部４２上に落下する。水切り板２２では、下側水切り部４２の外壁パネル１４側の重なり部４６が立上げられており、重なり部４６の上部の係合部４８が止水板２０の上側水切り部３０と折返し部３２との間に嵌め込まれている。このため、水切り板２２の取り付けが容易となり、外壁パネル１４と下屋１８との間の雨仕舞い処理を容易にできる。しかも、重なり部４６と上側水切り部３０との間が閉鎖されるので、風の吹き込みや雨滴等の浸入を防止できる。
【００６０】
さらに、水切り板２２の下側水切り部４２と屋根葺材４０との間には、止水材５６が詰め込まれており、屋根葺材４０の上面を伝って雨滴等が外壁パネル１４（外壁材１６）側に浸み込むのが抑えられる。しかも、外壁材１６と屋根葺材４０との間の下側には、捨水切り部４４が設けられており、捨水切り部４４には、屋根葺材４０の下側に水返し部５４が設けられていると共に、外壁パネル１４側に縦板部５２が設けられている。このため、雨滴等が屋根葺材４０の外壁パネル１４側の端部から捨水切り部４４に落下しても、捨水切り部４４から流れ出るのを防止できて、下屋１８に雨漏り等が生じるのを防止できる。
【００６１】
従って、建物１０では、下屋１８が接続された外壁パネル１４（１４Ａ〜１４Ｃ）から屋内に雨水が浸み込むのを防止できると共に、下屋１８に雨漏り等が生じるのを防止できる。
【００６２】
また、止水板２０が予め外壁パネル１４に取付けられているので、雨仕舞いのための施工場所における作業は、水切り板２２の加工及び取り付けとなるので、下屋１８の雨仕舞いのための作業工数を削減できる。さらに、水切り板２２を止水板２０に取付ける作業においては、水切り板２２の係合部４８を止水板２０に係止させる作業で済む。このため、止水板２０及び水切り板２２の固定に釘を用いるのを抑制できると共に、止水板２０及び水切り板２２の周囲の雨仕舞いのためのシーリング処理を、従来に比べて（本止水構造を適用しない場合に比べて）削減できる。これにより、水切り板２２の取付け及び雨仕舞いのための作業工数を削減できで、雨仕舞い処理を容易にできる。
【００６３】
また、雨仕舞いのための板金等の取り付けに釘等を使用した場合、釘の周囲からの雨水の浸入や釘の腐食防止のために、釘の頭及び頭の周囲にシーリング処理する必要がある。これに対して、本実施の形態に係る止水構造では、釘等の使用を抑制できるので、シーリング処理の工数を削減できる。また、シーリング処理した場合、シーリング材の打ち替えのためのメンテナンスの必要が生じるが、シーリング材の打ち替えなどのメンテナンスを抑制できて、長期に亘って雨仕舞い性を維持できる。
【００６４】
なお、以上説明した本実施の形態では、止水板２０の屋内側に縦板部２８を設けたが、縦板部２８を設けない構成であっても良い。この場合、平坦部２６を外壁材１６の屋内側において外壁材１６或いは外壁フレームに固定すると共に、平坦部２６とスリット２４内面との間にスポンジ状（弾性体）の止水材料を充填するなどして止水処理を施せば良い。
【００６５】
また、本実施の形態では、水切り部材と捨水切り部材とを一体にした水切り板２２を用いたが、水切り部材と捨水切り部材とは、別体であっても良い。図５（Ａ）及び図５（Ｂ）には、水切り部材と捨水切り部材とを別体にした構成が示されている。
【００６６】
図５（Ａ）に示す如く、水切り部材としての水切り板６０には、下側水切り部４２及び折返し部５０が形成されていると共に、第１縦板部としての縦板部６２が形成されており、縦板部６２は、下側水切り部４２の折返し部５０とは反対側の端部が上方へ向けて折曲げられて形成されている。縦板部６２の上端側には、略Ｕ字状に折り返された係合部６４が形成されている。水切り板６０は、縦板部６２が外壁材１６と止水板２０の上側水切り部３０との間挿入されて、係合部６４が上側水切り部３０と折返し部３２との間に嵌め込まれて係止される。これにより、止水板２０に水切り板６０が取り付けられる。
【００６７】
また、捨水切り部材としての捨水切り板６６には、捨水切り部４４及び水返し部５４が形成されていると共に、第２縦板部としての縦板部６８が形成されており、縦板部６８は、水返し部５４とは反対側の端部から上側に向けて折曲げられて形成されている。捨水切り板６６は、縦板部６８が水切り板６０の縦板部６２と外壁材１６（ルーフィング３８）との間に配置されて、縦板部６８が水切り板６０の縦板部６２に接着等により固定される。これにより、捨水切り板６６は、水切り板６０を介して止水板２０に取り付けられる。なお、捨水切り板６６は、外壁材１６に固定されても良い。
【００６８】
このように構成された止水構造においても、水切り板２２と同様に、止水板２０と共に、外壁パネル１４と下屋１８との接続部分の雨仕舞いを行うことができると共に、雨仕舞いのための作業を容易にできる。
【００６９】
また、本実施の形態では、勾配式の屋根とされた下屋１８を例に説明したが、下屋は、勾配式の屋根に限らず、陸屋根であっても良い。
【００７０】
さらに、本実施の形態では、ユニット式の建物１０を例に説明したが、建物は、ユニット式に限らず、鉄骨軸組構造などの他の構造であっても良い。建物がユニット式以外の構造である場合には、止水部材を予め取り付けた外壁パネルを建物の躯体に固定する構成とすれば良い。また、止水部材は、外壁パネルに予め取り付けた構成に限らず、施工場所において、水切り部材と共に加工して取り付けるようにしても良い。この場合、止水部材に屋内側止水部を省略することで、外壁材への取り付けを容易にできる。
【００７１】
さらに、建物は、平屋であっても良く、３階建てであっても良い。また、建物の屋根は、寄棟屋根の屋根に限らず、切妻屋根などの他の勾配式の屋根であっても良く、陸屋根であっても良く、勾配式の屋根と陸屋根とが併用された混合屋根であっても良い。
【符号の説明】
【００７２】
１０    建物
１４（１４Ａ〜１４Ｃ）    外壁パネル
１８    下屋
２０    止水板（止水部材）
２２    水切り板（水切り部材、捨水切り部材）
２４（２４Ａ）    スリット
２６    平坦部（貫通部分）
２８    縦板部（屋内側止水部）
３０    上側水切り部（屋外側止水部）
３２    折返し部
４０    屋根葺材
４２    下側水切り部（水切り部）
４４    捨水切り部（捨水切り部）
４６    重なり部（第１縦板部、第２縦板部）
４８    係合部
５２    縦板部（第２縦板部）
５４    水返し部
６０    水切り板（水切り部材）
６２    縦板部（第１縦板部）
６６    捨水切り板（捨水切り部材）
６８    縦板部（第２縦板部）
【図１】
2018154990.tif 000003
【図２】
2018154990.tif 000004
【図３】
2018154990.tif 000005
【図４】
2018154990.tif 000006
【図５】
2018154990.tif 000007